(57)【要約】【課題】マナーエリアにおける不特定の出口から退出する場合でも、マナーモードから通常の使用モードへ復帰し得る。【解決手段】マナーエリアＭＡに配置されるタイマ報知装置４０またはマナーゲートウェイ４４のタイマ情報を、携帯端末１０が受信すると、携帯端末１０は無線送信機能等が停止しマナーモードとなる。タイマデータの所定時間内に、タイマ情報を再受信しない場合には、マナーモードが解除されるので、マナーゲートウェイ４４が設置されていない出口を通過する場合でも、通常の使用モードへ復帰できる。即ち、マナーエリアＭＡにおけるマナーゲートウェイ４４が設置されていない不特定の出口から退出する場合でも、マナーモードから通常の使用モードへ復帰し得る。【選択図】      図１
2006211260.tif 000002
【特許請求の範囲】
【請求項１】
データの送受信を、通信網を経由して行う無線通信システムであって、
特定機能の停止を設定するマナーモードのマナーモード機能を、有する移動無線端末と、
前記マナーモードを所定時間に亘り設定すると共に、前記移動無線端末における前記マナーモードの設定エリアを区画するマナー設定データを、送信するタイマ報知装置と、
前記通信網に接続され、且つ前記移動無線端末が、前記マナーモードに設定された場合に、前記設定エリアに関連する関連データを、受信すると共に、前記関連データの受信に基づいて前記移動無線端末への着信を制限する管理サーバと、
を備えることを特徴とする無線通信システム。
【請求項２】
前記移動無線端末は、前記マナー設定データによる前記所定時間内に、前記マナー設定データを再度受信しない場合には、前記マナーモードを解除すると共に、解除データを生成し、
前記管理サーバは、前記移動無線端末からの前記解除データを受信する場合に、前記移動無線端末への着信履歴データを前記移動無線端末へ送信することを特徴とする請求項１に記載の無線通信システム。
【請求項３】
前記設定エリアの入口に配置され、且つ前記マナー設定データを送信するゲートウェイを、さらに備え、
前記移動無線端末が前記ゲートウェイから前記マナー設定データを受信した場合に、前記マナーモードを設定することを特徴とする請求項１または２に記載の無線通信システム。
【請求項４】
移動無線端末において特定機能を停止するマナーモードが設定された場合に、前記移動無線端末における前記マナーモードの設定エリアに関連する関連データを、前記移動無線端末から通信網を経由して受信する受信手段と、
前記受信手段が前記関連データを受信した場合に、前記移動無線端末への着信を制限する制限手段と、
を備えることを特徴とする管理サーバ。
【請求項５】
前記マナー設定データを再度受信することなく予め定められた所定時間内に、前記移動無線端末の前記マナーモードが解除された場合には、前記移動無線端末への着信履歴データを前記移動無線端末へ送信する送信手段を、さらに備えることを特徴とする請求項４に記載の管理サーバ。
【請求項６】
特定機能を停止するマナーモードを、所定時間に亘り設定するマナー設定データを受信する受信手段と、
前記受信手段から受信した前記マナー設定データに基づき、前記マナーモードを設定する設定手段と、
を備えることを特徴とする移動無線端末。
【請求項７】
前記マナー設定データを再度受信することなく前記所定時間が経過した場合に、前記マナーモードを解除する解除手段と、
前記解除手段によって前記マナーモードが解除された場合に、前記マナーモードの解除データを、通信網を経由して管理サーバへ送信する送信手段と、
をさらに備えることを特徴とする請求項６に記載の移動無線端末。
【請求項８】
特定機能を停止するマナーモードを、所定時間に亘り設定するマナー設定データを移動無線端末が受信した場合に、前記移動無線端末は前記マナー設定データに基づき前記マナーモードを設定し、
前記マナーモードの設定エリアに関連する関連データを、前記移動無線端末から通信網を経由して管理サーバへ送信し、
前記関連データを受信した前記管理サーバは、前記関連データの受信に基づいて前記移動無線端末への着信を制限することを特徴とするマナーモード制御方法。
【請求項９】
前記移動無線端末は、前記マナー設定データを再度受信することなく前記所定時間を経過した場合に、前記マナーモードを解除し、
前記管理サーバは、前記移動無線端末への着信履歴データを前記通信網を経由して前記移動無線端末へ送信することを特徴とする請求項８に記載のマナーモード制御方法。
【請求項１０】
前記設定エリアの入口に配置されたゲートウェイから送信される前記マナー設定データを、前記移動無線端末が受信した場合に、前記マナーモードを設定することを特徴とする請求項９に記載のマナーモード制御方法。
【請求項１１】
データの送受信を、通信網を経由して行う無線通信システムであって、
移動無線端末における特定機能の停止を設定するマナーモードを、所定時間に亘り設定すると共に、前記移動無線端末における前記マナーモードの設定エリアを区画するマナー設定データを、送信するタイマ報知装置と、
前記通信網に接続され、且つ前記移動無線端末が、前記マナーモードに設定された場合に、前記設定エリアに関連する関連データを、受信すると共に、前記関連データの受信に基づいて前記移動無線端末への着信を制限する管理サーバと、
を備えることを特徴とする無線通信システム。
【請求項１２】
移動無線端末における特定機能の停止を設定するマナーモードを、所定時間に亘り設定すると共に、前記移動無線端末における前記マナーモードの設定エリアを区画するマナー設定データを、送信することを特徴とする無線通信装置。
【請求項１３】
前記設定エリアの入口に配置され、且つ前記マナー設定データを送信するゲートウェイを、さらに備え、
前記移動無線端末が前記ゲートウェイから前記マナー設定データを受信した場合に、前記マナーモードを設定することを特徴とする請求項１２に記載の無線通信装置。
【発明の詳細な説明】
【技術分野】
【０００１】
本発明は、たとえばマナーモード機能を備える携帯端末などに対し、マナーモードの設定エリア（マナーエリア）内での携帯端末の特定機能の停止などを行う無線通信システム、管理サーバ、移動無線端末、無線通信装置およびマナーモード制御方法に関する。
【０００２】
特に、本発明は、上記マナーモードの設定、そのマナーモードの解除または上記マナーモード時における着信履歴に関する処理を行う無線通信システム、管理サーバ、移動無線端末、無線通信装置およびマナーモード制御方法に関する。
【背景技術】
【０００３】
携帯端末の中には、着信音の出力などを停止させるマナーモード機能を備える機種が提供されている。例えば、学校・映画館・病院などの公共施設内または電車・バスなどの公共車両内では、携帯端末のユーザが、任意にマナーモードに設定する必要があった。
【０００４】
一方、従来の移動無線端末自動強制終了システムでは、使用禁止エリア（マナーエリア）の出口または入口に利用制限信号または利用制限解除信号を送出する基地局をそれぞれ配置し、上記使用禁止エリア内において携帯端末を利用制限（マナーモードの）状態にする技術が提示されている（例えば、特許文献１参照）。
【０００５】
さらに、特許文献１のシステムでは、上記使用禁止エリア内での携帯端末の利用制限時における着信情報を、ユーザ（携帯端末）が上記使用禁止エリアから退出した場合に、取得し得るシステムとなっている。
【０００６】
なお、上記特許文献１に係る従来例の中には、入口と出口とを共通とする出入口の場合でも、携帯端末の上記利用制限または上記利用制限解除を行う技術が提示されている（例えば、特許文献２参照）。また、特許文献２に開示された技術の中には、交通機関の車両の出入口に、微弱な電波（入退出識別用情報）を常時発信する通話制限装置を設け、上記微弱な電波が上記出入口をカーテン状に覆うように設定しているものがある。そして、上記微弱な電波を受信した携帯端末は、通話が禁止される通話制限モード（マナーモード）になる。
【０００７】
【特許文献１】特開２００３−１３４５６４公報
【特許文献２】特開２０００−３２５５７公報（段落番号［００３１］乃至［００３７］および図１、並びに段落番号［００６０］乃至［００６１］および図７参照）
【発明の開示】
【発明が解決しようとする課題】
【０００８】
ところで、特許文献１および２に係る技術では、上記基地局が設置されている出入口を通過しない場合には、マナーモードから通常の使用モードへ復帰しない事態が生じる可能性がある。また、出口（入口）を複数箇所に設ける場合には、複数の出口に対し、上記基地局をそれぞれ設置する必要があるので、構成が複雑になると共に、高価となる。
【０００９】
そこで、本発明は、マナーエリアにおける不特定の出口から退出する場合でも、マナーモードから通常の使用モードへ復帰し得る無線通信システム、管理サーバ、移動無線端末、無線通信装置およびマナーモード制御方法を、提供することを目的とする。
【課題を解決するための手段】
【００１０】
本発明に係る無線通信システムは、データの送受信を、通信網を経由して行う無線通信システムであって、特定機能の停止を設定するマナーモードのマナーモード機能を、有する移動無線端末と、前記マナーモードを所定時間に亘り設定すると共に、前記移動無線端末における前記マナーモードの設定エリアを区画するマナー設定データを、送信するタイマ報知装置と、前記通信網に接続され、且つ前記移動無線端末が、前記マナーモードに設定された場合に、前記設定エリアに関連する関連データを、受信すると共に、前記関連データの受信に基づいて前記移動無線端末への着信を制限する管理サーバと、を備える。
【００１１】
また、本発明に係る無線通信システムは、データの送受信を、通信網を経由して行う無線通信システムであって、移動無線端末における特定機能の停止を設定するマナーモードを、所定時間に亘り設定すると共に、前記移動無線端末における前記マナーモードの設定エリアを区画するマナー設定データを、送信するタイマ報知装置と、前記通信網に接続され、且つ前記移動無線端末が、前記マナーモードに設定された場合に、前記設定エリアに関連する関連データを、受信すると共に、前記関連データの受信に基づいて前記移動無線端末への着信を制限する管理サーバと、を備える。
【００１２】
ここで、特定機能とは、たとえば移動無線端末における電波の送信（無線送信機能）、着信音や操作音などの音の出力（サウンド機能）、または撮像手段であるカメラの撮像機能などが該当する。そして、上記無線通信システムにおいて、移動無線端末は、マナー設定データによる所定時間内に、マナー設定データを再度受信しない場合には、マナーモードが解除され通常の使用モードとなる。
【００１３】
本発明に係る管理サーバは、移動無線端末において特定機能を停止するマナーモードが設定された場合に、前記移動無線端末における前記マナーモードの設定エリアに関連する関連データを、前記移動無線端末から通信網を経由して受信する受信手段と、前記受信手段が前記関連データを受信した場合に、前記移動無線端末への着信を制限する制限手段と、を備える。
【００１４】
本発明に係る移動無線端末は、特定機能を停止するマナーモードを、所定時間に亘り設定するマナー設定データを受信する受信手段と、前記受信手段から受信した前記マナー設定データに基づき、前記マナーモードを設定する設定手段と、を備える。
【００１５】
本発明に係るマナーモード制御方法は、特定機能を停止するマナーモードを、所定時間に亘り設定するマナー設定データを移動無線端末が受信した場合に、前記移動無線端末は前記マナー設定データに基づき前記マナーモードを設定し、前記マナーモードの設定エリアに関連する関連データを、前記移動無線端末から通信網を経由して管理サーバへ送信し、前記関連データを受信した前記管理サーバは、前記関連データの受信に基づいて前記移動無線端末への着信を制限する。
【００１６】
本発明に係る無線通信装置は、移動無線端末における特定機能の停止を設定するマナーモードを、所定時間に亘り設定すると共に、前記移動無線端末における前記マナーモードの設定エリアを区画するマナー設定データを、送信する。
【発明の効果】
【００１７】
本発明に係る無線通信システム、管理サーバ、移動無線端末、無線通信装置およびマナーモード制御方法では、マナーモードを所定時間に亘り設定するマナー設定データが、移動無線端末の特定機能の停止を設定するので、マナーモードの設定エリアに進入した移動無線端末を、特定機能を停止するマナーモードに設定できる。
【００１８】
また、移動無線端末が上記所定時間内に、マナー設定データを再度受信しない場合には、マナーモードが解除されるので、たとえば従来のような基地局が設置されている出入口を通過しない場合でも、マナーモードから通常の使用モードへ復帰できる。即ち、本発明によれば、マナーエリアにおける上記基地局が設置されていない不特定の出口から退出する場合でも、マナーモードから通常の使用モードへ復帰し得る。
【００１９】
なお、移動無線端末がマナー設定データを再度受信しない場合には、マナーモードが解除されるので、出口を複数箇所に設ける場合でも、複数の出口に対し、上記基地局の設置が不要となる。即ち、本発明によれば、出口に関する構成が、簡易になる。
【発明を実施するための最良の形態】
【００２０】
以下、図１乃至図３に基づいて、本発明の一実施形態である無線通信システム、管理サーバ、移動無線端末（たとえば、携帯端末など）およびマナーモード制御方法について説明する。ここで、図１は本実施形態における無線通信システムの構成図、図２は図１に示す各装置（携帯端末または管理サーバなどを含む）のブロック図、図３は図１に示す管理サーバのメモリに記録される位置情報管理テーブルである。なお、本実施形態では、病院などの公共施設内（公共エリアＰＡ内）において、携帯端末１０の特定機能（通話，着信など）が制限されるマナーエリアＭＡを形成した例である。
【００２１】
（無線通信システムにおける通信網の概略構成）
図１に示すように、無線通信システムＳは、タイマ報知装置４０と、マナーゲートウェイ４４と、携帯端末１０（１０Ａおよび１０Ｂ）と、管理サーバ３０と、移動体通信網５０と、を備える。タイマ報知装置４０は、病院などの公共エリアＰＡ内にマナーエリアＭＡを区画する無線通信装置である。ここで、説明の便宜上、公共エリアＰＡには、マナーエリアＭＡを含まない領域として説明する。
【００２２】
マナーゲートウェイ４４は、マナーエリアＭＡの出入口（入口と出口とを共通にした通用口）に配置される。携帯端末１０は、
ユーザが携帯する移動無線端末である。管理サーバ３０は、位置情報管理センターに配置されるサーバである。移動体通信網５０は、基地局５１などを含む。
【００２３】
なお、マナーエリアＭＡとタイマ報知装置４０との関係は、マナーエリアＭＡを予め設定し、この設定されたマナーエリアＭＡ中にタイマ報知装置４０を配置するようにしても良い。また、移動体通信網５０は、インターネット網を含む構成であっても良い。
【００２４】
そして、携帯端末１０は、移動体通信網５０を経由して位置情報管理センターの管理サーバ３０に接続されている。管理サーバ３０は、移動体通信網５０を経由して携帯端末１０と通信を行う機能を有する。なお、携帯端末１０が基地局５１に対して定期的に所定の制御データを出力することにより、基地局５１および携帯端末１０間の接続は維持している。また、管理サーバ３０は、携帯端末１０からの位置データを、移動体通信網５０を経由して、受信すると共に、記録（登録）する。
【００２５】
（携帯端末の構成）
図２に示すように、携帯端末１０は、無線回路１１と、主制御回路（ＣＰＵ）１２と、表示制御回路１３と、音声制御回路１４と、カメラ制御回路１５と、メモリ１６と、操作装置２２と、を備える。無線回路１１は、送信手段または受信手段の一部を構成し、図１に示すアンテナ２１を接続している。
【００２６】
主制御回路（ＣＰＵ）１２は、設定手段または解除手段である。表示制御回路１３は、表示デバイス１７を制御する。音声制御回路１４は、スピーカ１８およびマイク１９を接続している。カメラ制御回路１５は、カメラ２０を制御する。メモリ１６は、記録手段である。
【００２７】
そして、主制御回路１２は、無線回路１１、表示制御回路１３、音声制御回路１４、カメラ制御回路１５、メモリ１６および操作装置２２を、それぞれ接続している。メモリ１６は、例えばＲＯＭ，ＲＡＭなどの記録媒体であり、各種の処理を行わせるプログラムまたは各種データの読み書き用の記憶域を有する。また、メモリ１６には、携帯端末１０を特定する識別子データ「ａａａａａａａａ」が、予め記憶されている。
【００２８】
また、メモリ１６には、エリアデータが予め記憶されている。エリアデータには、携帯端末１０がマナーエリアＭＡに位置することを示す「マナーエリアデータ」と、携帯端末１０が公共エリアＰＡ（上述したように、「マナーエリアＭＡ」を除く公共エリアＰＡ）に位置することを示す「公共エリアデータ」とがある。なお、識別子データおよびエリアデータ（マナーエリアデータまたは公共エリアデータ）は、関連データまたは解除データとなる。
【００２９】
無線回路１１は各種信号の変調などを行い、操作装置２２は電源キー、文字などを入力する各種キーなどを備え、表示デバイス１７は各種情報を表示する。そして、主制御回路１２は、携帯端末１０の全体的な動作を司り、たとえば操作装置２２が操作された場合に、その操作に基づく処理を行う。
【００３０】
また、携帯端末１０は、主制御回路１２の制御により、無線回路１１を介して、移動体通信網５０の一部を構成する基地局５１と通信を行う。即ち、無線回路１１は、図１に示すアンテナ２１にて受信した受信信号を増幅し、復調を行うと共に、復調された受信データを主制御回路１２に出力する。
【００３１】
（タイマ報知装置４０およびマナーゲートウェイ４４の構成）
タイマ報知装置４０は、タイマ情報送信部４１を備える。このタイマ情報送信部４１は、マナーエリアＭＡを区画するタイマ情報を、生成すると共に、常時送信する。タイマ情報は、携帯端末１０がマナーエリアＭＡ内でしか受信できない程度の微弱な電波たとえば送信バースト出力１６０ミリワット（平均出力２０ミリワット）以下の電波になるように設定されている。上記電波の値は、ペースメーカーなどの医療機器などに影響を与えない範囲であり、例えば総務省が平成１４年７月２日に発表した「電波の医用機器等への影響に関する調査結果」における「電波の医用機器等への影響に関する調査研究報告書」の「付属資料」を参照した値である。また、タイマ情報の送信（適用）範囲は、図１に示すマナーエリアＭＡの範囲（領域）となるように、予め設定されている。
【００３２】
タイマ情報には、携帯端末１０の特定機能の停止を要求する要求データおよびタイマデータが含まれている。ここで、携帯端末１０の特定機能とは、たとえば携帯端末１０の電波の送信（無線送信機能）、着信音や操作音などの音の出力（サウンド機能）、またはカメラ２０の撮像機能などである。そして、要求データは、携帯端末１０の上記機能が停止するように、携帯端末１０の主制御回路１２に指示を与えるデータである。即ち、要求データは、携帯端末１０全体の電源をオフするものではない。なお、タイマデータは、タイマ値のデータである。
【００３３】
一方、携帯端末１０Ａでは、上記特定機能以外の機能たとえば少なくとも無線回路１１および主制御回路１２に電源が供給され、無線受信機能が発揮する状態となっている。その他、たとえば携帯端末１０Ａにおける電波の送出を伴わないゲーム機能（スケジュール表，電話帳などの機能）を有効状態にさせ、上記サウンド機能を停止した状態でゲームなどを行えるようにしても良い。なお、上記タイマデータのタイマ値は、たとえば１０分に設定されている。
【００３４】
一対のマナーゲートウェイ４４（図１参照）は、マナー情報送信部４５を備える。このマナー情報送信部４５は、携帯端末１０がマナーエリアＭＡに進入したことを報知するマナー情報を、生成すると共に、常時送信する。マナー情報（電波）は、携帯端末１０がマナーゲートウェイ４４間でしか受信できない程度の微弱な電波たとえば送信バースト出力１６０ミリワット（平均出力２０ミリワット）以下の電波になるように設定されている。
【００３５】
マナー情報は、図１に示す一対のマナーゲートウェイ４４間に亘って、送信されている。マナー情報には、携帯端末１０の特定機能の停止を要求する要求データおよびタイマデータが含まれている。なお、上記タイマデータのタイマ値は、たとえば３０秒に設定されている。
【００３６】
（移動体通信網５０および管理サーバ３０の構成）
移動体通信網５０は、携帯端末１０との間で通信を行う基地局５１と、基地局５１に関する処理を制御する基地局制御装置５２と、管理サーバ３０との間で通信を行う移動通信交換局５３を備える。
【００３７】
管理サーバ３０は、制限手段または制御手段である主制御回路（ＣＰＵ）３１と、送信手段または受信手段の一部を構成する無線回路３２と、記録手段であるメモリ３３と、を備える。そして、主制御回路３１は、無線回路３２およびメモリ３３を、それぞれ接続している。メモリ３３は、例えばＲＯＭ，ＲＡＭなどの記録媒体であり、各種の処理を行わせるプログラムまたは各種データの読み書き用の記憶域を有する。
【００３８】
メモリ３３には、携帯端末１０に関する位置情報管理テーブル３４（図３参照）の記録領域がある。図３に示すように、位置情報管理テーブル３４には、携帯端末１０を特定する識別子情報と、携帯端末１０に属する基地局５１に関する位置情報と、エリア種別情報が相互に関連付けられるように記録（更新）される。例えば、識別子情報は「ａａａａａａａａ」などと記録され、位置情報は図２に示す位置情報制御回路３５に基づいて「ＡＡＡＡＡＡＡＡＡ」などと記録される。また、エリア種別情報は、「公共エリア」または「マナーエリア」の区分として記録される。
【００３９】
主制御回路３１は、位置情報制御回路３５および着信履歴情報制御回路３６を備える。位置情報制御回路３５は、携帯端末１０の位置情報を、メモリ３３の位置情報管理テーブル３４に記録する回路である。着信履歴情報制御回路３６は、携帯端末１０が位置情報管理テーブル３４のエリア種別情報として「マナーエリア」に記録されている場合における、着信履歴情報（着信日時，発信者または発信に関する内容などの着信データ）をメモリ３３に記録または読出しなどの処理を行う回路である。
【００４０】
そして、管理サーバ３０は、携帯端末１０に対して着信要求が行われる際、携帯端末１０の位置を特定するために、図２に示すメモリ３３に記憶されている位置情報管理テーブル３４（図３参照）を参照する。即ち、管理サーバ３０は、着信要求を受けた携帯端末１０が、公共エリアＰＡまたはマナーエリアＭＡのどちらかに属するかを、位置情報管理テーブル３４のエリア種別情報（図３参照）に基づいて判断する。なお、管理サーバ３０は、携帯端末１０がマナーエリアＭＡに属しない場合で、且つ公共エリアＰＡに属する場合、位置情報管理テーブル３４の位置情報に基づき、携帯端末１０の属するエリア（基地局５１）を参照してページングメッセージ（着信データ）を該当するエリア（基地局５１）に送出する。
【００４１】
（本実施形態の作用）
次に、図４及び図５を参照して、携帯端末１０（１０Ａ）および管理サーバ３０におけるマナーモードに関する処理について説明する。ここで、携帯端末１０Ａにおける処理（マナーモードおよびマナー解除モード）は、図２に示す携帯端末１０の主制御回路１２によって実行される図４及び図５のフローチャートで表される。これらのプログラムは、予めメモリ１６（図２参照）のプログラム領域に記憶されている。なお、上記処理は、携帯端末１０の電源がオンされている間、実行される。
【００４２】
また、管理サーバ３０における処理は、図２に示す管理サーバ３０の主制御回路３１によって実行される処理ルーチンを示すフローチャートで表される。このプログラムは、予めメモリ３３（図２参照）のプログラム領域に記憶されている。なお、本フローチャートは、携帯端末１０ＡがマナーエリアＭＡへ進入した例である。
【００４３】
（携帯端末１０Ａにおけるマナーモード）
図４に示すように、ステップ１００において、携帯端末１０Ａの主制御回路１２は、携帯端末１０Ａにマナーゲートウェイ（以下、「ゲートウェイ」という）４４からタイマ情報を受信したか否かを判断する。即ち、図１に示すように、携帯端末１０Ａを所持するユーザが、ゲートウェイ４４を通過する際（マナーエリアＭＡへ進入する際）に、携帯端末１０Ａの無線回路１１（図２参照）はゲートウェイ４４のマナー情報送信部４５（図２参照）からマナー情報を受信する。
【００４４】
ステップ１００が肯定の場合すなわち携帯端末１０Ａがタイマ情報を受信した場合には、ステップ１０２において、携帯端末１０Ａの主制御回路１２は、識別子データおよびエリアデータ（マナーエリアデータ）を、図２に示す移動体通信網５０を経由して管理サーバ３０へ送信する。即ち、主制御回路１２は、上記タイマ情報を受信したと判断した場合、メモリ３３から上記識別子データおよびマナーエリアデータを読出し、無線回路１１へ出力する。なお、ステップ１００は、ゲートウェイ４４からタイマ情報が受信されるのを待つ。
【００４５】
ステップ１０４において、主制御回路１２は、タイマデータのタイマ値に基づき、タイマ（たとえば３０秒）を設定する。即ち、主制御回路１２は、上記特定機能を停止する時間を設定すると共に、主制御回路１２のタイマ機能に基づいて時間をカウントする。なお、ゲートウェイ４４におけるタイマデータのタイマ値を、たとえば３０秒に設定したのは、携帯端末１０ＡがマナーエリアＭＡに進入したことを検出するのに十分だからである。即ち、その後は、タイマ報知装置のタイマ情報で対応するように設定している。
【００４６】
ステップ１０６において、主制御回路１２は、携帯端末１０Ａにおける電源のオン状態を保持させた保持状態で、無線送信機能またはサウンド機能などの特定機能を停止させる（機能停止モード）。なお、上記機能を停止させる種類は、マナーエリアの種類に対応させる。例えば、美術館または本屋などの場合には、カメラ２０の撮像機能を停止させるのみでも良い。
【００４７】
ステップ１０８において、主制御回路１２は、図２に示す表示制御回路１３を介して、図２に示す表示デバイス１７に上記機能停止モードである旨を表示される。ステップ１１０では、主制御回路１２が上記タイマ機能に基づき、タイムアップになるのか否かを判断する。
【００４８】
ステップ１１０が肯定の場合すなわちタイムアップになると判断した場合には、ステップ１１２において、携帯端末１０Ａの主制御回路１２が、図２に示すタイマ報知装置４０からタイマ情報をタイマ計時中に受信したか否かを判断する。ステップ１１２が肯定の場合すなわちタイマ情報をタイマ計時中に受信した場合には、ステップ１１４において、携帯端末１０Ａの主制御回路１２が、タイムアップ時（上記所定時間内）にタイマ情報を再設定する。即ち、主制御回路１２は、タイマ報知装置４０におけるタイマデータのタイマ値に基づき、タイマ（たとえば１０分）を継続的に設定する。なお、タイムアップの判断時点は、上記所定時間の経過前（所定時間内）であれば、任意に変更し得る。
【００４９】
ステップ１１２が否定の場合すなわちタイマ情報を受信しない場合（図１に示す携帯端末１０Ａを所持するユーザがマナーエリアＭＡから退出した場合）には、ステップ１１６において、携帯端末１０Ａの主制御回路１２が、マナーモードを解除するマナー解除モードの処理を行う。なお、ステップ１１０乃至１１４は、タイマ報知装置４０からタイマ情報が継続して受信する限り、続けられる。即ち、図１に示す携帯端末１０Ａを所持するユーザが、マナーエリアＭＡ内に留まる限り、携帯端末１０Ａの特定機能が停止状態となっている。
【００５０】
（管理サーバ３０における処理）
ステップ２００において、管理サーバ３０の主制御回路３１は、エリアデータおよび識別子データを受信したか否かを判断する。ステップ２００が肯定の場合すなわちエリアデータなどを受信した場合には、ステップ２０２において、主制御回路３１は、エリアデータがマナーエリアデータか、または公共マナーエリアデータかを判断する。
【００５１】
そして、管理サーバ３０は、上記各エリアデータに対応する処理を行う。図４に示す例では、ステップ２００において、管理サーバ３０に受信されるエリアデータがマナーエリアデータであるので、管理サーバ３０の主制御回路３１は、後述するステップ２０４以降の処理を行う。
【００５２】
具体的には、ステップ２０２でのエリアデータの判断が、マナーエリアデータである場合、ステップ２０４で、管理サーバ３０の主制御回路３１は、メモリ３３内の位置情報管理テーブル３４のエリア種別情報（図３参照）をマナーエリアに登録（記録）する。即ち、主制御回路３１は、同時に送信される識別子情報を、アドレス情報として検索すると共に、上記アドレス情報に対応するエリア種別情報の欄に、「マナーエリア」と記録する。
【００５３】
エリア種別情報の欄に「マナーエリア」と記録されると、主制御回路３１は、識別子情報（図３の「ａａａａａａａａ」参照）に対応する携帯端末１０Ａが、図１に示すマナーエリアＭＡに進入し、マナーエリアＭＡ内に留まっていると判断する。なお、位置情報管理テーブル３４の位置情報の欄には、図１に示す基地局５１に対する位置データ「ＡＡＡＡＡＡＡＡＡ」を、登録（記録）する。
【００５４】
ステップ２０６では、管理サーバ３０の主制御回路３１が、図１に示すマナーエリアＭＡに位置する（図３に示すエリア種別情報の欄に「マナーエリア」と記録されている）上記携帯端末１０Ａに対し、着信があったか否かを判断する。ステップ２０６が肯定の場合すなわち上記着信がある場合には、ステップ２０８で、主制御回路３１は、着信履歴情報制御回路３６を介して、上記着信データを図２に示すメモリ３３の着信データ記録領域（図示省略）に記録する。
【００５５】
即ち、たとえば公共エリアＰＡに位置する携帯端末１０Ｂ（図１参照）から上記携帯端末１０Ａに対し着信がある場合には、管理サーバ３０は、携帯端末１０Ｂの着信を携帯端末１０Ａに通知することなく、携帯端末１０Ｂに関する着信データをメモリ３３の着信データ記録領域に保存（記録）する。
【００５６】
なお、ステップ２０６は、マナーエリアＭＡに位置する携帯端末１０Ａに対して着信されるのを待つ。また、ステップ２０６および２０８は、上記着信がある毎に保存処理（着信データの蓄積処理）を行う。
【００５７】
一方、ステップ２０２でのエリアデータの判断が、公共エリアデータである場合には、ステップ２１４で、管理サーバ３０の主制御回路３１は、メモリ３３内の位置情報管理テーブル３４のエリア種別情報（図３参照）を公共エリアに登録（更新）する。即ち、主制御回路３１は、同時に送信される識別子情報を、アドレス情報として検索すると共に、上記アドレス情報に対応するエリア種別情報の欄に、「公共エリア」と登録する。
【００５８】
エリア種別情報の欄に「公共エリア」と登録すると、主制御回路３１は、識別子情報（図３の「ａａａａａａａａ」参照）に対応する携帯端末１０Ａが、図１に示す公共エリアＰＡへ退出したと判断する。その結果、上記登録後においては、携帯端末１０Ａに対する着信データの保存を行わず、着信がある旨を携帯端末１０Ａに通知する（通常の着信処理を行う）。
【００５９】
ステップ２１６において、管理サーバ３０の主制御回路３１は、図１に示す公共エリアＰＡ内の（図３に示すエリア種別情報の欄に「公共エリア」と記録されている）上記携帯端末１０Ａに対する、着信履歴データを編集する。上記着信履歴データは、図２に示すメモリ３３の着信データ記録領域（図示省略）に記録されている着信データの履歴を示すデータである。
【００６０】
即ち、主制御回路３１は、着信履歴情報制御回路３６を介して、着信データの履歴を、メモリ３３の着信データ記録領域から読出すと共に、着信履歴データとして編集する。ステップ２１８において、主制御回路３１は、着信履歴情報制御回路３６によって編集した着信履歴データを、無線回路３２（移動体通信網５０）を介して、携帯端末１０Ａ側へ送信する。ステップ２１８の処理が終了すると、本フローチャートの処理は終了する。なお、着信データがメモリ３３の着信データ記録領域に無い場合には、「着信データが無い」旨の着信履歴データが作成される。
【００６１】
（携帯端末１０Ａにおけるマナー解除モード）
引続き、図５に基づき、マナー解除モードについて説明する。携帯端末１０Ａにおけるマナー解除モード（図４に示すステップ１１６参照）は、タイマ報知装置４０からのタイマ情報を、図４に示すステップ１１０のタイムアップ前に、受信しなかった場合（携帯端末１０ＡがマナーエリアＭＡから退出することにより、ステップ１１２の判断が否定となる場合）に、行われる処理（モード）である。
【００６２】
図５に示すように、ステップ１２０において、図２に示す携帯端末１０Ａの主制御回路１２は、無線送信機能またはサウンド機能などの特定機能の停止を解除させる。ステップ１２２において、主制御回路１２は、図２に示す表示制御回路１３を介して、表示デバイス１７に機能停止モードが解除された旨を表示させる。  ステップ１２４において、主制御回路１２は、識別子データおよびエリアデータ（公共エリアデータ）を、図２に示す移動体通信網５０を経由して管理サーバ３０へ送信する。即ち、主制御回路１２は、上記機能停止モードが解除されたと判断した場合、メモリ３３から上記識別子データおよび公共エリアデータを読出し、無線回路１１へ出力する。
【００６３】
（管理サーバ３０における処理）
一方、図５に示すステップ２００において、管理サーバ３０の主制御回路３１は、エリアデータおよび識別子データを受信したか否かを判断する。ステップ２００が肯定の場合すなわちエリアデータなどを受信した場合には、図５に示すステップ２０２において、主制御回路３１は、エリアデータがマナーエリアデータか、または公共マナーエリアデータかを判断する。
【００６４】
そして、管理サーバ３０は、上記各エリアデータに対応する処理を行う。図５に示す例では、ステップ２００において、管理サーバ３０に受信されるエリアデータが公共エリアデータであるので、管理サーバ３０の主制御回路３１は、図４に説明したステップ２１４乃至ステップ２１８の処理を行う。そして、管理サーバ３０の主制御回路３１が、着信履歴データを携帯端末１０Ａ側へ送信するステップ２１８の処理終了後、携帯端末１０Ａの主制御回路１２は、以下の処理を行う。
【００６５】
携帯端末１０Ａの主制御回路１２は、図５に示すステップ１２６において、着信履歴データを受信したか否かを判断する。ステップ１２６が肯定の場合すなわち着信履歴データを受信した場合には、ステップ２１８において、主制御回路１２は、図２に示す表示制御回路１３を介して、表示デバイス１７に着信履歴モードを表示させる。
【００６６】
なお、ステップ１２６が肯定になる前提として、着信履歴データが、管理サーバ３０から移動体通信網５０を経由して携帯端末１０Ａへ送信される必要がある（ステップ２１８参照）。ステップ１２６では、着信履歴データが受信されるのを待つ。また、ステップ１２８の処理が終了すると、本フローチャートの処理は終了する。
【００６７】
一方、ステップ２０２でのエリアデータの判断が、マナーエリアデータである場合、管理サーバ３０の主制御回路３１は、図４で説明したステップ２０４乃至ステップ２０８の処理を行う。
【００６８】
本実施形態では、マナーモードを所定時間に亘り設定するタイマ情報（マナー設定データ）が、携帯端末（移動無線端末）１０の特定機能の停止を設定するので、マナーエリア（マナーモードの設定エリア）ＭＡに進入した携帯端末１０を、特定機能を停止するマナーモードに設定できる。
【００６９】
また、携帯端末１０が上記所定時間内に、タイマ報知装置４０からのタイマ情報を再度受信しない場合（図４に示すステップ１１２が肯定の場合）には、マナーモードが解除される（図４に示すステップ１１６のマナー解除モードとなる）ので、たとえば従来のような基地局（図１ではマナーゲートウェイ４４が相当する）が設置されている出入口を通過しない場合でも、マナーモードから通常の使用モードへ復帰できる。
【００７０】
即ち、本実施形態によれば、マナーエリアＭＡにおけるマナーゲートウェイ４４が設置されていない不特定の出口から退出する場合でも、マナーモードから通常の使用モードへ復帰し得る。また、本実施形態によれば、タイマ報知装置４０からのタイマ情報の送信を停止させることにより、所定時間経過後（たとえば、コンサート等における演奏終了または閉幕後）に、携帯端末１０を通常の使用モードに切換えることができる。
【００７１】
さらに、本実施形態では、タイマ報知装置４０の他に、マナーゲートウェイ４４を設けたので、携帯端末１０におけるマナーエリアＭＡの進入時点が明確になり、最適なタイミングでマナーモードに設定し得る。
【００７２】
なお、上述したように、携帯端末１０がタイマ情報を再度受信しない場合には、マナーモードが解除されるので、出口を複数箇所に設ける場合でも、複数の出口に対し、マナーゲートウェイ４４の設置が不要となる。
【００７３】
本実施形態の変形例として、マナーゲートウェイ４４を設けることなく、タイマ報知装置４０のみで、マナーエリアＭＡを区画するように構成しても良い。この場合には、無線通信システムＳの入口に関する構成が、不要になる。また、この場合には、マナーエリアＭＡに進入した後に、ユーザが携帯端末１０の電源をオンにしても、マナー情報を受信することになるので、携帯端末１０はマナーモードに設定される。
【００７４】
なお、上記実施形態において説明した各プログラムの処理の流れ（図４および５参照）は一例であり、本発明の主旨を逸脱しない範囲内において適宜変更可能である。例えば、携帯端末１０Ａを所持するユーザが、マナーゲートウェイ４４から退出する場合には、図２に示すマナー情報送信部４５からのマナー信号を再度受信することにより、携帯端末１０Ａの主制御回路１２がマナーエリアＭＡから退出することを判断するようにしても良い。この場合には、携帯端末１０Ａは、マナーゲートウェイ４４から退出する際に、マナーモードから通常の使用モードへ迅速に復帰し得る。
【００７５】
また、上記実施形態は、上記識別子データおよびエリアデータを、携帯端末１０から受信部が配置されたマナーゲートウェイ４４を経由して、マナーゲートウェイ４４と無線または有線で接続される管理サーバ３０へ送信するようにしても良い。
【００７６】
さらに、本発明では、上記構成の組み合わせるパターンを、例えば上記実施形態の変形例の内、２つの例または２つ以上の例を組み合わせるパターンとしても良い。さらに、上記実施形態では、移動無線端末を携帯端末１０として例であるが、本発明の移動無線端末は無線タイプで且つ電話機能を備えるＰＤＡｓ（ＰＥＲＳＯＮＡＬ Ｄｉｇｉｔａｌ Ａｓｓｉｓｔａｎｔｓ）、パーソナル・コンピュータなどを含む概念である。
【図面の簡単な説明】
【００７７】
【図１】本発明に係る一実施形態の無線通信システムの構成図である。
【図２】図１に示す各装置のブロック図である。
【図３】図１に示す管理サーバのメモリに記録される位置情報管理テーブルである。
【図４】図１に示す携帯端末および管理サーバにおけるマナーモードのフローチャートである。
【図５】図４に示す携帯端末および管理サーバにおけるマナー解除モードのフローチャートである。
【符号の説明】
【００７８】
１０Ａ、１０Ｂ    携帯端末（移動無線端末）
１１    無線回路（送信手段、受信手段）
１２    主制御回路（設定手段、判断手段、制限手段）
１６    メモリ（記録手段）
３０    管理サーバ
３１    主制御回路（設定手段、判断手段、制限手段）
３２    無線回路（送信手段、受信手段）
３３    メモリ（記録手段）
３４    位置情報管理テーブル
４０    タイマ報知装置（無線通信装置）
４１    タイマ情報送信部
４４    マナーゲートウェイ
４５    マナー情報送信部
５０    移動体通信網
５１    基地局
５２    基地局制御装置
５３    移動通信交換局
ＰＡ    公共エリア
ＭＡ    マナーエリア
Ｓ    無線通信システム
【図１】
2006211260.tif 000003
【図２】
2006211260.tif 000004
【図３】
2006211260.tif 000005
【図４】
2006211260.tif 000006
【図５】
2006211260.tif 000007